(57)【要約】【課題】本発明は、過去に敷設した水路の延長敷設工事あるいは交換工事につき、水路内部にゴミなどが堆積せず、集水効率のよい水路が新規のＵ字溝及び蓋体を使用して敷設でき、内部に存する水路部の幅及び高さが既設のＵ字溝と略同等にしうる水路の敷設工法を提供することを目的とするものである。【解決手段】本発明は、Ｕ字溝を接続して敷設された既設水路へ新規水路を接続敷設する水路の敷設工法であり、新規Ｕ字溝のＵ字状水路部は、既設水路を形成するＵ字溝のＵ字状水路部の幅及び高さと略同一の寸法に形成され、底面幅方向略中央には高水流用溝条が形成され、かつ上面開口は、新規蓋体で密閉可能とされ、新規蓋体の幅方向略中央には複数箇所の連結部兼導入溝部を除いて上下に貫通する直線状スリットが形成され、新規蓋体は既設のＵ字溝および新規Ｕ字溝の開口内側面に固定可能とされた、ことを特徴とする。【選択図】          図１
2007032143.tif 000002
【特許請求の範囲】
【請求項１】
Ｕ字溝を接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ前記既設水路を形成した既設Ｕ字溝および新規Ｕ字溝の上面開口は、新規蓋体で密閉可能とされ、
該新規蓋体は略長方形板状をなし、幅方向略中央には複数箇所の連結部兼導入溝部を除いて上下に貫通する直線状スリットが形成され、該新規蓋体は既設のＵ字溝および新規Ｕ字溝の開口内側面に固定可能とされた、
ことを特徴とする水路の敷設工法。
【請求項２】
Ｕ字溝を接続して敷設された既設水路の上部開口へ、新規蓋体を被せて固定する水路の敷設工法であり、
前記新規蓋体は、略長方形板状をなし、幅方向略中央には複数箇所の連結部兼導入溝部を除いて上下に貫通する直線状スリットが形成され、かつ同一規格で大量生産されてなり、
該新規蓋体を幅長が異なる既設Ｕ字溝の上部開口内側面に固定した、
ことを特徴とする水路の敷設工法。
【請求項３】
Ｕ字溝と該Ｕ字溝の上面開口を塞ぐ略方形板状をなす蓋体からなり、前記蓋体は前記Ｕ字溝に固定されない様形成されたＵ字溝ユニットを接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ上面開口を塞ぐ新規蓋体は略長方形板状をなし、幅方向略中央には複数箇所の連結部兼導入溝部を除いて上下に貫通する直線状スリットが形成され、該新規蓋体は新規Ｕ字溝の開口内側面に固定された、
ことを特徴とする水路の敷設工法。
【請求項４】
前記複数箇所設けられた連結部兼溝部の底壁は、前記蓋体の長手方向に向かい、同様の向きからなる傾斜面として形成された、
ことを特徴とする請求項１、請求項２または請求項３記載の水路の敷設工法。
【請求項５】
既設水路と既設水路の間に新規Ｕ字溝及び新規蓋体を敷設して新規水路を形成する、
ことを特徴とした請求項３または請求項４記載の水路の敷設工法。
【請求項６】
前記新規蓋体の連結部兼溝部における底壁は、蓋体上面とほぼ同一面上に形成された、
ことを特徴とする請求項１、請求項２、請求項３、請求項４または請求項５記載の水路の敷設工法。
【発明の詳細な説明】
【技術分野】
【０００１】
本発明は、例えばコンクリート製Ｕ字溝及びコンクリート製蓋体で敷設された既設水路に新規のコンクリート製Ｕ字溝及び新規の蓋体を使い、新規水路を例えば延長敷設する水路の敷設工法に関するものである。
【背景技術】
【０００２】
従来より、コンクリート製Ｕ字溝及びその上面開口を全面的に塞ぐコンクリート製略方形板状をなす蓋体を使用して側溝などのいわゆる落とし蓋式側溝が敷設形成されている。
【０００３】
この場合、地表面に雨水などが溜まった場合、その雨水などをスムーズに側溝へ流入させるため、既設水路の長手方向に、例えば５メートル間隔毎に既設のＵ字溝上面開口にグレーチング蓋体１６を取り付けて当該箇所を雨水などを側溝にスムーズに集水する集水用孔としていた。
【０００４】
しかしながら、上記側溝において例えば５メートル間隔毎に特別部材から形成されたグレーチング蓋体１６を設けるのは、それだけでもかなりコスト高になってしまうとの懸念があった。
【０００５】
また、従来では前記Ｕ字溝を敷設したときに、その上面開口を塞ぐコンクリート製蓋体をＵ字溝上面開口に完全に固定してしまうとＵ字溝内部の清掃が出来なくなるなどの理由により、該コンクリート製蓋体は単にＵ字溝の上面開口に載置しているだけで完全に固定されてはいなかった。
【０００６】
しかしながら、コンクリート製蓋体をＵ字溝の上面開口へフリーな状態で載置しておくと、当該蓋体に車両などの重量物が通過するたびにガタツキが生じてしまい、そのたびに騒音が発生すると共に、ひいてはコンクリート製の蓋体が破損してしまうとの懸念もあった。
ところで、近年では、過去に従来のＵ字溝と従来の蓋体によって敷設した例えば側溝に対する既設側溝延長敷設工事あるいは既設側溝交換工事の時期が次々と到来しており、従来の既設Ｕ字溝や既設Ｕ字溝用の蓋体を使用せず、新型新開発されたＵ字溝や蓋体を使用して水路の敷設工事を行うことが要請されている。
【０００７】
ここで、地表面に溜まった雨水などを側溝内に集水する際、きわめて優れた集水性を有して構成され、かつ耐久性に優れた良好な品質を有するのは、いわゆる「都市型側溝」と称されるスリット溝付き側溝（特開２００３−４９４７６号公報参照）であるが、当該スリット付き側溝を前記既設のＵ字溝に繋げて延長敷設すると、たとえ地表に現れる部分が略同等の幅及び略同等の長さであったとしても、内部の水路部の幅が異なるとしてその使用を拒む施工依頼者も存在した。
【０００８】
そこで、前記いわゆる「都市型側溝」と称される側溝に代えても、きわめて集水性の優れたＵ字溝及び蓋体であって、既設Ｕ字溝の水路部の幅と高さが略同等のものを使用し、既設水路の延長敷設工事あるいは既設水路の交換修理工事が要請されるに至った。
【０００９】
【特許文献１】特開２００３−４９４７６号公報  図１
【発明の開示】
【発明が解決しようとする課題】
【００１０】
かくして、本発明よる水路の敷設工法は、前記課題に対処すべく創案されたものであり、過去に敷設した水路の延長敷設工事あるいは交換工事につき、従来の水路形成に勝る、例えば側溝においては水路内部にゴミなどが堆積せず、また地面からの雨水などの集水効率のよい水路が新規のＵ字溝及び蓋体を使用して敷設でき、しかも内部に存する水路部の幅及び高さが既設のＵ字溝と略同等にしうる水路の敷設工法を提供することを目的とするものである。
【課題を解決するための手段】
【００１１】
本発明による水路の敷設工法は、
Ｕ字溝を接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ前記既設水路を形成した既設Ｕ字溝および新規Ｕ字溝の上面開口は、新規蓋体で密閉可能とされ、
該新規蓋体は略長方形板状をなし、幅方向略中央には複数箇所の連結部兼導入溝部を除いて上下に貫通する直線状スリットが形成され、該新規蓋体は既設のＵ字溝および新規Ｕ字溝の開口内側面に固定可能とされた、
ことを特徴とし、
または、
Ｕ字溝を接続して敷設された既設水路の上部開口へ、新規蓋体を被せて固定する水路の敷設工法であり、
前記新規蓋体は、略長方形板状をなし、幅方向略中央には複数箇所の連結部兼導入溝部を除いて上下に貫通する直線状スリットが形成され、かつ同一規格で大量生産されてなり、
該新規蓋体を幅長が異なる既設Ｕ字溝の上部開口内側面に固定した、
ことを特徴とし、
または、
Ｕ字溝と該Ｕ字溝の上面開口を塞ぐ略方形板状をなす蓋体からなり、前記蓋体は前記Ｕ字溝に固定されない様形成されたＵ字溝ユニットを接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ上面開口を塞ぐ新規蓋体は略長方形板状をなし、幅方向略中央には複数箇所の連結部兼導入溝部を除いて上下に貫通する直線状スリットが形成され、該新規蓋体は新規Ｕ字溝の開口内側面に固定された、
ことを特徴とし、
または、
前記複数箇所設けられた連結部兼溝部の底壁は、前記蓋体の長手方向に向かい、同様の向きからなる傾斜面として形成された、
ことを特徴とし、
または、
既設水路と既設水路の間に新規Ｕ字溝及び新規蓋体を敷設して新規水路を形成する、
ことを特徴とし、
または、
前記新規蓋体の連結部兼溝部における底壁は、蓋体上面とほぼ同一面上に形成された、
ことを特徴とするものである。
【発明の効果】
【００１２】
本発明による水路の敷設工法であれば、過去に敷設した水路の延長敷設工事あるいは交換工事につき、従来の水路形成に勝る、例えば側溝においては水路内部にゴミなどが堆積せず、また地面からの雨水などの集水効率のよい水路がコストを安価にして敷設できるとの優れた効果を奏する。
【発明を実施するための最良の形態】
【００１３】
以下本発明を図に示す実施例に基づいて説明する。
図１、図２において符号１はいわゆる断面略Ｕ字状をなす既設Ｕ字溝を示す。該既設Ｕ字溝１は底壁４の幅方向両端から略垂直方向に立ち上がる両側壁５、５とを有して構成され、内側には略Ｕ字状をなすＵ字状水路部６を有している。
また、符号２は前記Ｕ字溝１の上面開口３を塞ぐ略方形板状をなす既設の蓋体を示す。
従来では前記既設Ｕ字溝１の上面開口３に既設の略方形板状をなす蓋体２が全面的に被せられれて、塞がれており、かかる上面から地表面に溜まった雨水などをスムーズに側溝内部の水路部に集水することが出来ないものであった。
そこで、従来は、既設Ｕ字溝１などにより敷設した、例えば側溝の長手方向５メートル間隔毎に図１で示す様に集水用のグレーチング蓋体１６を既設Ｕ字溝１の上面開口３へ載置し、地表面上に溜まる雨水等のスムーズな集水を企図していた。
しかし、前記グレーチング蓋体１６を複数大量に使用することはコスト的に高価になってしまうと共に、グレーチングの隙間から土砂なども雨水と共に側溝内に流入することになり、当該土砂などがＵ字状水路部６の底部に堆積してひいては下水の流れを止めてしまうものとなっていた。  
また、従来の既設蓋体２は、ただ既設Ｕ字溝１の上面開口３へ載置されているだけで固定されてはいない。
すなわち、例えば、地中に敷設した側溝の所定箇所で下水が詰まったりしたとき、前記固定していない既設蓋体２をあけて側溝内部が点検できるように意図したからである。
しかしながら逆に、車両などが既設蓋体２の上面を通過すると、既設蓋体２がガタついて騒音を発生したり、破損したりすることが多々生ずるに至っていた。
本発明は上記のような課題が存する従来の既設側溝を新規Ｕ字溝７や新規蓋体８などの新規部材を使用して延長敷設したり、あるいは交換敷設できるようにしもって従来からの課題を解消したものである。
次に符号７は新規のＵ字溝を示す。該新規のＵ字溝７は既設のＵ字溝１と略同等の幅及び高さからなるＵ字状水路部６を有している。
ただ、既設Ｕ字溝１と異なる点は新規Ｕ字溝７の底壁４には、その幅方向略中央位置に長手方向へ伸びる高水流用溝条９が設けられている点である。
図から理解されるように、前記高水流用溝条９の溝は断面略半円状をなして構成されているが、このような形状に限定されるものではない。例えば、逆三角形状、逆台形状等の形状であっても構わないものである。
ところで従来の既設Ｕ字溝１にはこのような高水流用溝条９は形成されていなかった。よって従来のＵ字状水路部６では、下水などの水が流れる箇所は平坦面として形成された底壁４の上面全ての面と、この底壁４上面の幅方向両端から立ち上がる一対の側壁５、５内側面との間ということになる。
ここで、既設Ｕ字溝１は、その底壁４が幅広の平坦面として形成されているため、底壁４上を流れる水は該底壁４の幅方向全体に広がり流れようとする。
従って、流れる水量が多く、かつその水流が高く、強いときには何ら問題が生じないが、水量が少なく、かつ流れる水の水流が弱いときには水と共に移動する汚泥やゴミなどが一緒に移動しようとし、それら汚泥やゴミなどは重量が重く、もって水と一緒に流れることなくひいては底壁４上に滞留してしまうこととなる。
そして、滞留した汚泥やゴミなどに次々流れてきた汚泥やゴミなどが衝突して堆積し、最終的には前記汚泥やゴミなどが大きな障害となって、水の流れさえも完全に堰止めてしまうことがあったのである。
そこで本発明による新規Ｕ字溝７は、まずかかる事情に対処している。
すなわち、従来からの、水の流れる平坦面たる底壁４に換えて、該底壁４の幅方向略中央位置に高水流用溝条９を形成することにより、水量が少ない場合であっても、高水流に変換できるものとし、よって水量が少ないときであっても汚泥やゴミなどが底壁４の上面に滞留しないように創案したのである。
しかして、高水流用溝条９は、流れる水の水流を速くする、すなわち高水流としうる各種凹溝条をなす形状として形成されている。
尚、当該高水流用溝条９の基本的設計手法としては、弱い水流をいかに速く、すなわちいかに高水流に変換していくかであり、そのためには流れる水の量が少ない場合に、溝条の径深を深くさせて水流を速くする手法が考えられる。
したがって、水の流れる幅を狭くし、かつその深さを略半円状あるいは略Ｕ字状などとし、少ない水量でも速く流れるよう設計している。
すなわち、水の量が少なく、水流が弱いときには前記略Ｕ字状などの形状をなす高水流用溝条９内に流れる水が集められれて流れることになり、その結果汚泥やゴミ等が滞留したり、堆積したりすることがないこととなるのである。
前述したが高水流用溝条９の形状として、逆山形をなす溝条や、溝の底を逆三角形の頂角のように鋭角に形成した溝条や、逆台形状に構成した溝条などが考えられる。
次に新規の蓋体８の構成につき説明する。
該新規蓋体８は従来の既設蓋体２とはその構成を大きく異にしている。図３から理解されるように、略長方形板状をなしているが、その幅方向略中央部には上下方向に貫通するスリット１０が設けられている。
【００１４】
そして、該スリット１０は図３から理解されるように、蓋体１０上面１２側のスリット幅より蓋体１０の下面１３側のスリット幅が拡開された形状とされている。
【００１５】
すなわち、地表面上においてはなるべく内部のＵ字状水路部６に導入したい雨水などに限定するため上面側のスリット幅を狭め、木の葉、木の枝あるいはその他の固形物ゴミの侵入を防止するものとし、一方、取り込んだ雨水はスムーズに内部の水路部に導入するため以降は拡開したスリット構造としてある。
【００１６】
しかし、新規蓋体８の長手方向に向かい全体的にスリット１０が形成されてしまうと該新規蓋体８が２分割されてしまう。従って前記スリット１０には新規蓋体８を繋ぎ、かつ地表面上の雨水などを導いてスムーズにスリット１０へ導入するための連結部兼導入溝部１１を長手方向に向かい複数箇所に設けているのである。
【００１７】
しかして、この実施例では新規蓋体８の長手方向両端側の２カ所と長手方向中央部の１カ所の都合３カ所に設けられている。しかしながら、連結部兼導入溝部１４の設置箇所と設置の数は何ら限定されるものではない。
【００１８】
さらに、該連結部兼導入溝部１４はスリット１０の高さ方向上部から下部にわたってすべて連結した形状には構成されてはいない。すなわち、新規蓋体８の上部側スリット１０から垂下した高さ方向略中間位置までは連結せずに、前記高さ方向中間位置から新規蓋体８の下部側スリット１０までの間を繋いで構成してあり、もって該連結部兼導入溝部１４を凹溝状としてあるのである。
【００１９】
そして、連結部兼導入溝部１４の底壁１４は新規蓋体８の長手方向一端側から他端側に向かって同じ傾斜角の底面として構成され、上部のスリット１０近傍位置や連結部兼導入溝部１４の底壁４上面に溜まった雨水を効率よくＵ字状水路部６に導入できるように構成されているのである。
【００２０】
また、新規蓋体８の上面も幅方向両端部から前記スリット１０側に向けておのおの下り傾斜する傾斜面として構成され、新規蓋体８の上面に溜まる雨水などの水はけが良好になるよう構成されている。
【００２１】
次に、図３に示すように、新規蓋体８の外周端面には複数の切り欠き１５が設けられており、新規蓋体８を新規Ｕ字溝７の上面開口３に嵌め込んだ後、この切り欠き１５にモルタルなどの接着剤を流し込み、新規蓋体８を新規Ｕ字溝７に固定するものとしている。
【００２２】
これにより従来の懸案事項であった既設蓋体２上に車両などの重量物が載置してガタつき、騒音が発生したり、既設蓋体２が破損したりすることがない。
【００２３】
次に既設Ｕ字溝１と既設蓋体２により敷設した既設側溝をさらに新規Ｕ字溝７及び新規蓋体８を使用して延長敷設する場合につき述べる。
【００２４】
図１に示すように、従来は既設Ｕ字溝１及び既設蓋体２を使用して、たとえば側溝を敷設形成している。しかし、既設蓋体２は既設Ｕ字溝１の上面開口を完全にふさいでしまうため、地表面の水はけが悪くなってしまう。そこで、従来は約５メートル間隔でグレーチング蓋体１６を既設Ｕ字溝１の上面開口３に嵌め込み地表面の水はけを考慮せざるを得なかったことすでに述べたとおりである。
【００２５】
しかして、近年では前述した特徴のある、かつ優れた品質の新規Ｕ字溝７及び新規蓋体８が用いられる。そして、この新規Ｕ字溝７及び新規蓋体８は従来敷設されている既設Ｕ字溝１とそのＵ字状水路部６の幅及び高さをほぼ同様にして構成されている。
【００２６】
これらＵ字溝は上面を残して埋設されてしまうため、本来上面の幅だけ既設Ｕ字溝１及び既設蓋体２と同様であれば、Ｕ字状水路部６の幅などが異なっていてもさほど問題はないが、前述した施工依頼者の杞憂に考慮したものである。
【００２７】
ここで、新規Ｕ字溝７にはその底壁４の幅方向略中央位置に長手方向へ延びる高水流用溝条９が設けられている。よって、新規Ｕ字溝７を敷設した箇所からは、Ｕ字状水路部６を流れる下水の水量が少なく、かつ水流が遅い場合であっても前記高水流溝条９に溜まって比較的水流を速くして流れ、もって汚泥やゴミなどが溜まりにくいとの効果を奏する。
【００２８】
次に、新規蓋体８を上面開口３に嵌め込み固定する。従来の既設蓋体２は固定されないため前記したとおり各種の杞憂があったが、新規蓋体８は新規Ｕ字溝７に固定されるためその課題は解消した。
【００２９】
さらに、幅方向略中央位置にはスリット１０が設けられており、地表面上に溜まった雨水などの集水作業が円滑に行える。
【００３０】
しかも新規蓋体８上面は、幅方向両端部からスリット１０に向かって下り勾配を有する傾斜面として形成されているため尚更である。
【００３１】
また、スリット１０の長手方向には３カ所にわたって該スリット１０によって分断された新規蓋体８を繋ぎ、かつ地表面上の雨水の集水導入を意図する連結部兼導入溝部１４が設けられており、該新規蓋体８の耐久性と集水性を考慮した構成が顕著となっている。
【００３２】
従って、従来敷設形成した側溝の長手方向たとえば５メートル間隔ごとにグレーチング蓋１６を使用をせざるを得なかったが、本発明のように新規蓋体８を使用した場合はたとえば５メートル間隔でのグレーチング蓋１６の使用を全く必要としないものとなった。
【００３３】
ところで、図９は、既設の蓋体を備えていない既設のＵ字溝１に新規の蓋体を備えていない新規Ｕ字溝を接続して新規水路を延長敷設する実施例を示したものである。図に示すようにＵ字状水路部６の幅及び高さは同一の寸法に形成されているが、新規のＵ字溝７にはその底壁４には、その幅方向略中央位置に長手方向へ伸びる高水流用溝条９が設けられている。
【００３４】
よって、本実施例のような接続であれば、新規に水路を形成した箇所については、たとえ水量が少なく水流が弱いものであったとしても前記高水流用溝条９によって水流が速くなり、もって汚泥やゴミがとどまることがない。
【００３５】
しかも、接続工事後に従来からの既設Ｕ字溝１の上部開口３及び新規Ｕ字溝７の上部開口３に新規の蓋体８を被せて固定することができ、これにより、既設のＵ字溝１がすでに敷設されている箇所であっても、新規に水路を敷設したのと同様な景観を提供できる。
【００３６】
図１０及び図１１は新規な水路を延長敷設した例を示すものであり、図１０は交差する道路において略直角に敷設延長する例を示す。
【００３７】
また、図１１は交差する道路を隔てて新規に水路を延長敷設した例を示したものである。
【００３８】
また、たとえば図１０あるいは図１１に示す例において既設のＵ字溝１を敷設してある箇所で破損の激しい箇所を選択し、当該箇所を新規のＵ字溝７及び新規の蓋体８に交換敷設することもできる。
【００３９】
尚、新規蓋体８の連結部兼導入溝部１１の底壁１４面を新規蓋体８の上面とほぼ同等の高さに形成しても構わないものであり、この場合はほとんど溝状はなくなり、連結部のみとなる。
【００４０】
このような実施例が採用される箇所は勾配のある箇所に新規の水路を形成する箇所が好ましく、スリット１０に雨水などの導入溝がなくとも比較的スムーズに側溝のＵ字状水路部６に集水することができる。
【図面の簡単な説明】
【００４１】
【図１】本発明の構成を説明する構成説明図（その１）である。
【図２】本発明の構成を説明する構成説明図（その２）である。
【図３】本発明による新規蓋体の構成を説明する構成説明図である。
【図４】本発明による新規Ｕ字溝の構成を説明する構成説明図（その１）である。
【図５】本発明による新規Ｕ字溝の構成を説明する構成説明図（その２）である。
【図６】本発明による新規Ｕ字溝の構成を説明する構成説明図（その３）である。
【図７】本発明による新規Ｕ字溝の構成を説明する構成説明図（その４）である。
【図８】本発明による新規Ｕ字溝の構成を説明する構成説明図（その５）である。
【図９】本発明の構成を説明する構成説明図（その３）である。
【図１０】本発明の構成を説明する構成説明図（その４）である。
【図１１】本発明の構成を説明する構成説明図（その５）である。
【符号の説明】
【００４２】
１      既設Ｕ字溝
２      既設蓋体
３      上面開口
４      底壁
５      側壁
６      Ｕ字状水路部
７      新規Ｕ字溝
８      新規蓋体
９      高水流溝条
１０    スリット
１２    蓋体上面
１３    蓋体下面
１４    連結部兼導入溝部
１５    切り欠き
１６    グレーチング蓋体
【図１】
2007032143.tif 000003
【図２】
2007032143.tif 000004
【図３】
2007032143.tif 000005
【図４】
2007032143.tif 000006
【図５】
2007032143.tif 000007
【図６】
2007032143.tif 000008
【図７】
2007032143.tif 000009
【図８】
2007032143.tif 000010
【図９】
2007032143.tif 000011
【図１０】
2007032143.tif 000012
【図１１】
2007032143.tif 000013
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
Ｕ字溝を接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ前記既設水路を形成した既設Ｕ字溝および新規Ｕ字溝の上面開口は、新規蓋体で密閉可能とされ、
該新規蓋体は略長方形板状をなし、幅方向略中央には複数箇所の連結部兼導入溝部を除いて上下に貫通する直線状スリットが形成され、該新規蓋体は既設のＵ字溝および新規Ｕ字溝の開口内側面に固定可能とされた、
ことを特徴とする水路の敷設工法。
【請求項２】
Ｕ字溝を接続して敷設された既設水路の上部開口へ、新規蓋体を被せて固定する水路の敷設工法であり、
前記新規蓋体は、略長方形板状をなし、幅方向略中央には複数箇所の連結部兼導入溝部を除いて上下に貫通する直線状スリットが形成され、かつ同一規格で大量生産されてなり、
該新規蓋体を幅長が異なる既設Ｕ字溝の上部開口内側面に固定した、
ことを特徴とする水路の敷設工法。
【請求項３】
Ｕ字溝と該Ｕ字溝の上面開口を塞ぐ略方形板状をなす蓋体からなり、前記蓋体は前記Ｕ字溝に固定されない様形成されたＵ字溝ユニットを接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ上面開口を塞ぐ新規蓋体は略長方形板状をなし、幅方向略中央には複数箇所の連結部兼導入溝部を除いて上下に貫通する直線状スリットが形成され、該新規蓋体は新規Ｕ字溝の開口内側面に固定された、
ことを特徴とする水路の敷設工法。
【請求項４】
前記複数箇所設けられた連結部兼導入溝部の底壁は、前記蓋体の長手方向に向かい、同様の向きからなる傾斜面として形成された、
ことを特徴とする請求項１、請求項２または請求項３記載の水路の敷設工法。
【請求項５】
既設水路と既設水路の間に新規Ｕ字溝及び新規蓋体を敷設して新規水路を形成する、
ことを特徴とした請求項３または請求項４記載の水路の敷設工法。
【請求項６】
前記新規蓋体の連結部兼導入溝部における底壁は、蓋体上面とほぼ同一面上に形成された、
ことを特徴とする請求項１、請求項２、請求項３、請求項４または請求項５記載の水路の敷設工法。
【手続補正２】
【補正対象書類名】明細書
【補正対象項目名】全文
【補正方法】変更
【補正の内容】
【発明の詳細な説明】
【技術分野】
【０００１】
本発明は、例えばコンクリート製Ｕ字溝及びコンクリート製蓋体で敷設された既設水路に新規のコンクリート製Ｕ字溝及び新規の蓋体を使い、新規水路を例えば延長敷設する水路の敷設工法に関するものである。
【背景技術】
【０００２】
従来より、コンクリート製Ｕ字溝及びその上面開口を全面的に塞ぐコンクリート製略方形板状をなす蓋体を使用して側溝などのいわゆる落とし蓋式側溝が敷設形成されている。
【０００３】
この場合、地表面に雨水などが溜まった場合、その雨水などをスムーズに側溝へ流入させるため、既設水路の長手方向に、例えば５メートル間隔毎に既設のＵ字溝上面開口にグレーチング蓋体１６を取り付けて当該箇所を雨水などを側溝にスムーズに集水する集水用孔としていた。
【０００４】
しかしながら、上記側溝において例えば５メートル間隔毎に特別部材から形成されたグレーチング蓋体１６を設けるのは、それだけでもかなりコスト高になってしまうとの懸念があった。
【０００５】
また、従来では前記Ｕ字溝を敷設したときに、その上面開口を塞ぐコンクリート製蓋体をＵ字溝上面開口に完全に固定してしまうとＵ字溝内部の清掃が出来なくなるなどの理由により、該コンクリート製蓋体は単にＵ字溝の上面開口に載置しているだけで完全に固定されてはいなかった。
【０００６】
しかしながら、コンクリート製蓋体をＵ字溝の上面開口へフリーな状態で載置しておくと、当該蓋体に車両などの重量物が通過するたびにガタツキが生じてしまい、そのたびに騒音が発生すると共に、ひいてはコンクリート製の蓋体が破損してしまうとの懸念もあった。
ところで、近年では、過去に従来のＵ字溝と従来の蓋体によって敷設した例えば側溝に対する既設側溝延長敷設工事あるいは既設側溝交換工事の時期が次々と到来しており、従来の既設Ｕ字溝や既設Ｕ字溝用の蓋体を使用せず、新型新開発されたＵ字溝や蓋体を使用して水路の敷設工事を行うことが要請されている。
【０００７】
ここで、地表面に溜まった雨水などを側溝内に集水する際、きわめて優れた集水性を有して構成され、かつ耐久性に優れた良好な品質を有するのは、いわゆる「都市型側溝」と称されるスリット溝付き側溝（特開２００３−４９４７６号公報参照）であるが、当該スリット付き側溝を前記既設のＵ字溝に繋げて延長敷設すると、たとえ地表に現れる部分が略同等の幅及び略同等の長さであったとしても、内部の水路部の幅が異なるとしてその使用を拒む施工依頼者も存在した。
【０００８】
そこで、前記いわゆる「都市型側溝」と称される側溝に代えても、きわめて集水性の優れたＵ字溝及び蓋体であって、既設Ｕ字溝の水路部の幅と高さが略同等のものを使用し、既設水路の延長敷設工事あるいは既設水路の交換修理工事が要請されるに至った。
【０００９】
【特許文献１】特開２００３−４９４７６号公報  図１
【発明の開示】
【発明が解決しようとする課題】
【００１０】
かくして、本発明よる水路の敷設工法は、前記課題に対処すべく創案されたものであり、過去に敷設した水路の延長敷設工事あるいは交換工事につき、従来の水路形成に勝る、例えば側溝においては水路内部にゴミなどが堆積せず、また地面からの雨水などの集水効率のよい水路が新規のＵ字溝及び蓋体を使用して敷設でき、しかも内部に存する水路部の幅及び高さが既設のＵ字溝と略同等にしうる水路の敷設工法を提供することを目的とするものである。
【課題を解決するための手段】
【００１１】
本発明による水路の敷設工法は、
Ｕ字溝を接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ前記既設水路を形成した既設Ｕ字溝および新規Ｕ字溝の上面開口は、新規蓋体で密閉可能とされ、
該新規蓋体は略長方形板状をなし、幅方向略中央には複数箇所の連結部兼導入溝部を除いて上下に貫通する直線状スリットが形成され、該新規蓋体は既設のＵ字溝および新規Ｕ字溝の開口内側面に固定可能とされた、
ことを特徴とし、
または、
Ｕ字溝を接続して敷設された既設水路の上部開口へ、新規蓋体を被せて固定する水路の敷設工法であり、
前記新規蓋体は、略長方形板状をなし、幅方向略中央には複数箇所の連結部兼導入溝部を除いて上下に貫通する直線状スリットが形成され、かつ同一規格で大量生産されてなり、
該新規蓋体を幅長が異なる既設Ｕ字溝の上部開口内側面に固定した、
ことを特徴とし、
または、
Ｕ字溝と該Ｕ字溝の上面開口を塞ぐ略方形板状をなす蓋体からなり、前記蓋体は前記Ｕ字溝に固定されない様形成されたＵ字溝ユニットを接続して敷設された既設水路へ、新規水路を接続敷設する水路の敷設工法であり、
新規水路を形成する新規Ｕ字溝のＵ字状水路部は、既設水路を形成するＵ字溝のＵ字状水路部の幅及び高さと略同一の寸法に形成されると共に、Ｕ字状水路部の底面幅方向略中央には高水流用溝条が形成されてなり、かつ上面開口を塞ぐ新規蓋体は略長方形板状をなし、幅方向略中央には複数箇所の連結部兼導入溝部を除いて上下に貫通する直線状スリットが形成され、該新規蓋体は新規Ｕ字溝の開口内側面に固定された、
ことを特徴とし、
または、
前記複数箇所設けられた連結部兼導入溝部の底壁は、前記蓋体の長手方向に向かい、同様の向きからなる傾斜面として形成された、
ことを特徴とし、
または、
既設水路と既設水路の間に新規Ｕ字溝及び新規蓋体を敷設して新規水路を形成する、
ことを特徴とし、
または、
前記新規蓋体の連結部兼導入溝部における底壁は、蓋体上面とほぼ同一面上に形成された、
ことを特徴とするものである。
【発明の効果】
【００１２】
本発明による水路の敷設工法であれば、過去に敷設した水路の延長敷設工事あるいは交換工事につき、従来の水路形成に勝る、例えば側溝においては水路内部にゴミなどが堆積せず、また地面からの雨水などの集水効率のよい水路がコストを安価にして敷設できるとの優れた効果を奏する。
【発明を実施するための最良の形態】
【００１３】
以下本発明を図に示す実施例に基づいて説明する。
図１、図２において符号１はいわゆる断面略Ｕ字状をなす既設Ｕ字溝を示す。該既設Ｕ字溝１は底壁４の幅方向両端から略垂直方向に立ち上がる両側壁５、５とを有して構成され、内側には略Ｕ字状をなすＵ字状水路部６を有している。
また、符号２は前記Ｕ字溝１の上面開口３を塞ぐ略方形板状をなす既設の蓋体を示す。
従来では前記既設Ｕ字溝１の上面開口３に既設の略方形板状をなす蓋体２が全面的に被せられれて、塞がれており、かかる上面から地表面に溜まった雨水などをスムーズに側溝内部の水路部に集水することが出来ないものであった。
そこで、従来は、既設Ｕ字溝１などにより敷設した、例えば側溝の長手方向５メートル間隔毎に図１で示す様に集水用のグレーチング蓋体１６を既設Ｕ字溝１の上面開口３へ載置し、地表面上に溜まる雨水等のスムーズな集水を企図していた。
しかし、前記グレーチング蓋体１６を複数大量に使用することはコスト的に高価になってしまうと共に、グレーチングの隙間から土砂なども雨水と共に側溝内に流入することになり、当該土砂などがＵ字状水路部６の底部に堆積してひいては下水の流れを止めてしまうものとなっていた。  
また、従来の既設蓋体２は、ただ既設Ｕ字溝１の上面開口３へ載置されているだけで固定されてはいない。
すなわち、例えば、地中に敷設した側溝の所定箇所で下水が詰まったりしたとき、前記固定していない既設蓋体２をあけて側溝内部が点検できるように意図したからである。
しかしながら逆に、車両などが既設蓋体２の上面を通過すると、既設蓋体２がガタついて騒音を発生したり、破損したりすることが多々生ずるに至っていた。
本発明は上記のような課題が存する従来の既設側溝を新規Ｕ字溝７や新規蓋体８などの新規部材を使用して延長敷設したり、あるいは交換敷設できるようにしもって従来からの課題を解消したものである。
次に符号７は新規のＵ字溝を示す。該新規のＵ字溝７は既設のＵ字溝１と略同等の幅及び高さからなるＵ字状水路部６を有している。
ただ、既設Ｕ字溝１と異なる点は新規Ｕ字溝７の底壁４には、その幅方向略中央位置に長手方向へ伸びる高水流用溝条９が設けられている点である。
図から理解されるように、前記高水流用溝条９の溝は断面略半円状をなして構成されているが、このような形状に限定されるものではない。例えば、逆三角形状、逆台形状等の形状であっても構わないものである。
ところで従来の既設Ｕ字溝１にはこのような高水流用溝条９は形成されていなかった。よって従来のＵ字状水路部６では、下水などの水が流れる箇所は平坦面として形成された底壁４の上面全ての面と、この底壁４上面の幅方向両端から立ち上がる一対の側壁５、５内側面との間ということになる。
ここで、既設Ｕ字溝１は、その底壁４が幅広の平坦面として形成されているため、底壁４上を流れる水は該底壁４の幅方向全体に広がり流れようとする。
従って、流れる水量が多く、かつその水流が高く、強いときには何ら問題が生じないが、水量が少なく、かつ流れる水の水流が弱いときには水と共に移動する汚泥やゴミなどが一緒に移動しようとし、それら汚泥やゴミなどは重量が重く、もって水と一緒に流れることなくひいては底壁４上に滞留してしまうこととなる。
そして、滞留した汚泥やゴミなどに次々流れてきた汚泥やゴミなどが衝突して堆積し、最終的には前記汚泥やゴミなどが大きな障害となって、水の流れさえも完全に堰止めてしまうことがあったのである。
そこで本発明による新規Ｕ字溝７は、まずかかる事情に対処している。
すなわち、従来からの、水の流れる平坦面たる底壁４に換えて、該底壁４の幅方向略中央位置に高水流用溝条９を形成することにより、水量が少ない場合であっても、高水流に変換できるものとし、よって水量が少ないときであっても汚泥やゴミなどが底壁４の上面に滞留しないように創案したのである。
しかして、高水流用溝条９は、流れる水の水流を速くする、すなわち高水流としうる各種凹溝条をなす形状として形成されている。
尚、当該高水流用溝条９の基本的設計手法としては、弱い水流をいかに速く、すなわちいかに高水流に変換していくかであり、そのためには流れる水の量が少ない場合に、溝条の径深を深くさせて水流を速くする手法が考えられる。
したがって、水の流れる幅を狭くし、かつその深さを略半円状あるいは略Ｕ字状などとし、少ない水量でも速く流れるよう設計している。
すなわち、水の量が少なく、水流が弱いときには前記略Ｕ字状などの形状をなす高水流用溝条９内に流れる水が集められて流れることになり、その結果汚泥やゴミ等が滞留したり、堆積したりすることがないこととなるのである。
前述したが高水流用溝条９の形状として、逆山形をなす溝条や、溝の底を逆三角形の頂角のように鋭角に形成した溝条や、逆台形状に構成した溝条などが考えられる。
次に新規の蓋体８の構成につき説明する。
該新規蓋体８は従来の既設蓋体２とはその構成を大きく異にしている。図３から理解されるように、略長方形板状をなしているが、その幅方向略中央部には上下方向に貫通するスリット１０が設けられている。
【００１４】
そして、該スリット１０は図３から理解されるように、蓋体１０上面１２側のスリット幅より蓋体１０の下面１３側のスリット幅が拡開された形状とされている。
【００１５】
すなわち、地表面上においてはなるべく内部のＵ字状水路部６に導入したい雨水などに限定するため上面側のスリット幅を狭め、木の葉、木の枝あるいはその他の固形物ゴミの侵入を防止するものとし、一方、取り込んだ雨水はスムーズに内部の水路部に導入するため以降は拡開したスリット構造としてある。
【００１６】
しかし、新規蓋体８の長手方向に向かい全体的にスリット１０が形成されてしまうと該新規蓋体８が２分割されてしまう。従って前記スリット１０には新規蓋体８を繋ぎ、かつ地表面上の雨水などを導いてスムーズにスリット１０へ導入するための連結部兼導入溝部１１を長手方向に向かい複数箇所に設けているのである。
【００１７】
しかして、この実施例では新規蓋体８の長手方向両端側の２カ所と長手方向中央部の１カ所の都合３カ所に設けられている。しかしながら、連結部兼導入溝部１４の設置箇所と設置の数は何ら限定されるものではない。
【００１８】
さらに、該連結部兼導入溝部１４はスリット１０の高さ方向上部から下部にわたってすべて連結した形状には構成されてはいない。すなわち、新規蓋体８の上部側スリット１０から垂下した高さ方向略中間位置までは連結せずに、前記高さ方向中間位置から新規蓋体８の下部側スリット１０までの間を繋いで構成してあり、もって該連結部兼導入溝部１４を凹溝状としてあるのである。
【００１９】
そして、連結部兼導入溝部１４の底壁１４は新規蓋体８の長手方向一端側から他端側に向かって同じ傾斜角の底面として構成され、上部のスリット１０近傍位置や連結部兼導入溝部１４の底壁４上面に溜まった雨水を効率よくＵ字状水路部６に導入できるように構成されているのである。
【００２０】
また、新規蓋体８の上面も幅方向両端部から前記スリット１０側に向けておのおの下り傾斜する傾斜面として構成され、新規蓋体８の上面に溜まる雨水などの水はけが良好になるよう構成されている。
【００２１】
次に、図３に示すように、新規蓋体８の外周端面には複数の切り欠き１５が設けられており、新規蓋体８を新規Ｕ字溝７の上面開口３に嵌め込んだ後、この切り欠き１５にモルタルなどの接着剤を流し込み、新規蓋体８を新規Ｕ字溝７に固定するものとしている。
【００２２】
これにより従来の懸案事項であった既設蓋体２上に車両などの重量物が載置してガタつき、騒音が発生したり、既設蓋体２が破損したりすることがない。
【００２３】
次に既設Ｕ字溝１と既設蓋体２により敷設した既設側溝をさらに新規Ｕ字溝７及び新規蓋体８を使用して延長敷設する場合につき述べる。
【００２４】
図１に示すように、従来は既設Ｕ字溝１及び既設蓋体２を使用して、たとえば側溝を敷設形成している。しかし、既設蓋体２は既設Ｕ字溝１の上面開口を完全にふさいでしまうため、地表面の水はけが悪くなってしまう。そこで、従来は約５メートル間隔でグレーチング蓋体１６を既設Ｕ字溝１の上面開口３に嵌め込み地表面の水はけを考慮せざるを得なかったことすでに述べたとおりである。
【００２５】
しかして、近年では前述した特徴のある、かつ優れた品質の新規Ｕ字溝７及び新規蓋体８が用いられる。そして、この新規Ｕ字溝７及び新規蓋体８は従来敷設されている既設Ｕ字溝１とそのＵ字状水路部６の幅及び高さをほぼ同様にして構成されている。
【００２６】
これらＵ字溝は上面を残して埋設されてしまうため、本来上面の幅だけ既設Ｕ字溝１及び既設蓋体２と同様であれば、Ｕ字状水路部６の幅などが異なっていてもさほど問題はないが、前述した施工依頼者の杞憂に考慮したものである。
【００２７】
ここで、新規Ｕ字溝７にはその底壁４の幅方向略中央位置に長手方向へ延びる高水流用溝条９が設けられている。よって、新規Ｕ字溝７を敷設した箇所からは、Ｕ字状水路部６を流れる下水の水量が少なく、かつ水流が遅い場合であっても前記高水流溝条９に溜まって比較的水流を速くして流れ、もって汚泥やゴミなどが溜まりにくいとの効果を奏する。
【００２８】
次に、新規蓋体８を上面開口３に嵌め込み固定する。従来の既設蓋体２は固定されないため前記したとおり各種の杞憂があったが、新規蓋体８は新規Ｕ字溝７に固定されるためその課題は解消した。
【００２９】
さらに、幅方向略中央位置にはスリット１０が設けられており、地表面上に溜まった雨水などの集水作業が円滑に行える。
【００３０】
しかも新規蓋体８上面は、幅方向両端部からスリット１０に向かって下り勾配を有する傾斜面として形成されているため尚更である。
【００３１】
また、スリット１０の長手方向には３カ所にわたって該スリット１０によって分断された新規蓋体８を繋ぎ、かつ地表面上の雨水の集水導入を意図する連結部兼導入溝部１４が設けられており、該新規蓋体８の耐久性と集水性を考慮した構成が顕著となっている。
【００３２】
従って、従来敷設形成した側溝の長手方向たとえば５メートル間隔ごとにグレーチング蓋１６を使用をせざるを得なかったが、本発明のように新規蓋体８を使用した場合はたとえば５メートル間隔でのグレーチング蓋１６の使用を全く必要としないものとなった。
【００３３】
ところで、図９は、既設の蓋体を備えていない既設のＵ字溝１に新規の蓋体を備えていない新規Ｕ字溝を接続して新規水路を延長敷設する実施例を示したものである。図に示すようにＵ字状水路部６の幅及び高さは同一の寸法に形成されているが、新規のＵ字溝７にはその底壁４には、その幅方向略中央位置に長手方向へ伸びる高水流用溝条９が設けられている。
【００３４】
よって、本実施例のような接続であれば、新規に水路を形成した箇所については、たとえ水量が少なく水流が弱いものであったとしても前記高水流用溝条９によって水流が速くなり、もって汚泥やゴミがとどまることがない。
【００３５】
しかも、接続工事後に従来からの既設Ｕ字溝１の上部開口３及び新規Ｕ字溝７の上部開口３に新規の蓋体８を被せて固定することができ、これにより、既設のＵ字溝１がすでに敷設されている箇所であっても、新規に水路を敷設したのと同様な景観を提供できる。
【００３６】
図１０及び図１１は新規な水路を延長敷設した例を示すものであり、図１０は交差する道路において略直角に敷設延長する例を示す。
【００３７】
また、図１１は交差する道路を隔てて新規に水路を延長敷設した例を示したものである。
【００３８】
また、たとえば図１０あるいは図１１に示す例において既設のＵ字溝１を敷設してある箇所で破損の激しい箇所を選択し、当該箇所を新規のＵ字溝７及び新規の蓋体８に交換敷設することもできる。
【００３９】
尚、新規蓋体８の連結部兼導入溝部１１の底壁１４面を新規蓋体８の上面とほぼ同等の高さに形成しても構わないものであり、この場合はほとんど溝状はなくなり、連結部のみとなる。
【００４０】
このような実施例が採用される箇所は勾配のある箇所に新規の水路を形成する箇所が好ましく、スリット１０に雨水などの導入溝がなくとも比較的スムーズに側溝のＵ字状水路部６に集水することができる。
【図面の簡単な説明】
【００４１】
【図１】本発明の構成を説明する構成説明図（その１）である。
【図２】本発明の構成を説明する構成説明図（その２）である。
【図３】本発明による新規蓋体の構成を説明する構成説明図である。
【図４】本発明による新規Ｕ字溝の構成を説明する構成説明図（その１）である。
【図５】本発明による新規Ｕ字溝の構成を説明する構成説明図（その２）である。
【図６】本発明による新規Ｕ字溝の構成を説明する構成説明図（その３）である。
【図７】本発明による新規Ｕ字溝の構成を説明する構成説明図（その４）である。
【図８】本発明による新規Ｕ字溝の構成を説明する構成説明図（その５）である。
【図９】本発明の構成を説明する構成説明図（その３）である。
【図１０】本発明の構成を説明する構成説明図（その４）である。
【図１１】本発明の構成を説明する構成説明図（その５）である。
【符号の説明】
【００４２】
１      既設Ｕ字溝
２      既設蓋体
３      上面開口
４      底壁
５      側壁
６      Ｕ字状水路部
７      新規Ｕ字溝
８      新規蓋体
９      高水流溝条
１０    スリット
１２    蓋体上面
１３    蓋体下面
１４    連結部兼導入溝部
１５    切り欠き
１６    グレーチング蓋体